(57)【要約】【課題】配線ダクト接続部とカバーとの隙間を完全になくすことで、美観の向上と配線ダクト内部の電線を確実に保護することができ、しかも、従来の工事と同様の条件で配線ダクト工事を行うことが可能な配線ダクト用上下自在カバーを提供する。【解決手段】上下自在継ぎダクトの開口上部を施蓋する一対のカバー体１０を設ける。これらのカバー体１０を上下揺動自在に連結すると共にカバー体１０相互の隙間を覆うヒンジ体１１を設ける。各カバー体１０の長手両側縁から上下自在継ぎダクトの側面に沿って屈曲されたフランジ１２を設ける。上下に屈曲した状態で連結された上下自在継ぎダクトを施蓋する際に、上下自在継ぎダクトが振り下げ角度４５度のときに屈曲部側面に生じる最大の隙間を覆う隙間被覆フランジ１３を設ける。隙間被覆フランジ１３は、各カバー体１０のフランジ１２から拡大形成される。【選択図】  図１
2008160985.tif 000002
【特許請求の範囲】
【請求項１】
上下自在継ぎダクトの開口上部を施蓋する一対のカバー体と、これらのカバー体を上下揺動自在に連結すると共にカバー体相互の隙間を覆うヒンジ体と、各カバー体の長手両側縁から上下自在継ぎダクトの側面に沿って屈曲されたフランジとを設け、上下に屈曲した状態で連結された上下自在継ぎダクトを施蓋する配線ダクト用上下自在カバーにおいて、上下自在継ぎダクトが振り下げ角度４５度のときに屈曲部側面に生じる隙間を覆う形状の隙間被覆フランジを、各カバー体のフランジから拡大形成したことを特徴とする配線ダクト用上下自在カバー。
【請求項２】
前記カバー体が施蓋する上下自在継ぎダクトは、一対のダクト本体を上下角度４５度の範囲で調整可能に連結され、各ダクト本体の連結部の左右側板に設けられ上端縁が略円弧形状を成し相互に重合せしめる重合側板と、該重合側板に固定ボルトを貫通して角度調整後のダクト本体を固定せしめる固定ボルト挿通孔と、ダクト本体の長手端部に他の配線ダクトを連結せしめる継ぎ金具を連結ボルトにて装着する継ぎ金具取付孔とを有し、前記カバー体の隙間被覆フランジは、固定ボルト挿通孔の固定ボルトに妨げられない位置に形成され、前記フランジは、継ぎ金具取付孔の連結ボルトから離れた位置に形成された請求項１記載の配線ダクト用上下自在カバー。
【請求項３】
前記カバー体の長手端部にカバー止着具を設け、前記上下自在継ぎダクトの長手端部の左右側板上端縁からダクト本体の内側に屈曲された係止片に、該カバー止着具を係止せしめるように設けた請求項１又は２記載の配線ダクト用上下自在カバー。
【請求項４】
前記カバー体の隙間被覆フランジの幅は、カバー体の前記フランジからカバー体の連結端部方向に漸次広がるように形成された請求項１乃至３いずれか記載の配線ダクト用上下自在カバー。
【発明の詳細な説明】
【技術分野】
【０００１】
本発明は、配線工事に使用する金属ダクトやケーブルラック（以下、配線ダクトと称する）が上下に屈曲連結された際の屈曲部側面に生じる隙間を施蓋するのに好適な配線ダクト用上下自在カバーに関する。  
【背景技術】
【０００２】
配線ダクト工事による低圧屋内配線は、金属製の配線ダクト内に絶縁電線やケーブルを収めて布設する工事方法で、主に受変電室から各分電盤に至る幹線、または工場内の機械装置への配線など、多数の電線を占める部分の工事に使用されている。この配線ダクト工事は配管より建築物の空間の占有面積が少ないといった利点があるので、施工上の融通性に富み、増設工事にも都合が良いものである。
【０００３】
このような配線ダクト工事では、様々なルートに配線する必要があるので、直線用、分岐用、上下ベンド用など、各種の配線ダクトが選択使用されている。その中でも、上下ベンド用に使用される配線ダクトとして、上下角度の調整自在な、上下自在継ぎダクトが一般に使用されている。
【０００４】
特許文献１は、当出願人が先に提案したケーブルラック用カバーに関するものであり、上下自在継ぎダクトの屈曲した開口上部を施蓋するものである。特に、上下方向に屈曲したカバーの屈曲部上面に生じる隙間を塞ぐことを可能にしたカバーを提供している。
【特許文献１】特許第３３９０９４６号公報
【発明の開示】
【発明が解決しようとする課題】
【０００５】
従来の配線ダクトの上下ベンド構造は、配線ダクトの屈曲部分にあたる側面に略円弧形状の接続部を重ねて連結し、この接続部から配線ダクトを上下に揺動せしめるものである。そのため、上下角度によって配線ダクトの側面と、この配線ダクトを施蓋するカバーとの間に隙間が生じるものであった。
【０００６】
特に、振り下げ角度を４５度に設定した際に、略円弧形状の接続部４０側面とカバーの屈曲部５０とに生じる隙間６０が最大になるものである（図５参照）。この結果、施工後の見栄えが悪くなり、しかも、この隙間６０から虫などが侵入し、大型の配線ダクトにおいては、鼠、蛇などが侵入する可能性もあり、思わぬ侵入物によって電線が傷付けられる恐れがあった。
【０００７】
特許文献１に記載のカバーには、配線ダクトに重ねるフランジを側面に設けているが、このようなフランジによっても、配線ダクトの接続部が屈曲したとき生じる大きな隙間を閉塞することはできなかった。仮に、振り下げ角度を４５度に設定した際の最大の隙間を塞ぐように、この隙間に合わせた角部を配線ダクトの側板に形成したとしても、他の角度に調整した場合にこの角部が使用できなくなるばかりか、逆にこの角部がカバーを突き上げてしまうことにもなり、実用的ではない。
【０００８】
また、フランジ幅を広くしたカバーを使用すると、カバー全体の重量が増加するので、配線工事全体の荷重が増大し、従来工法の変更にもつながり兼ねない。また、材料コストの上昇により、工事費のコストを引き上げるなどの不都合も生じる。しかも、幅の広いフランジが配線ダクトの側板から突出した継ぎ金具接続用のボルト等に接触すると、カバーが浮き上がって施工後の美観を損ねると共に、他の配線ダクトとの連結部分に段差や隙間が生じてしまう不都合もある。このように、フランジ幅を広くしたカバーを配線ダクト用のカバーとして使用するには数多くの不都合が生じるものであった。
【０００９】
そこで、本発明は上述の課題を解消すべく創出されたもので、配線ダクト接続部とカバーとの隙間を完全になくすことで、美観の向上と配線ダクト内部の電線を確実に保護することができ、しかも、従来の工事と同様の条件で配線ダクト工事を行うことが可能な配線ダクト用上下自在カバーの提供を目的とするものである。
【課題を解決するための手段】
【００１０】
上述の目的を達成すべく本発明における第１の手段は、上下自在継ぎダクトの開口上部を施蓋する一対のカバー体１０と、これらのカバー体１０を上下揺動自在に連結すると共にカバー体１０相互の隙間を覆うヒンジ体１１と、各カバー体１０の長手両側縁から上下自在継ぎダクトの側面に沿って屈曲されたフランジ１２とを設け、上下に屈曲した状態で連結された上下自在継ぎダクトを施蓋する配線ダクト用上下自在カバーにおいて、上下自在継ぎダクトが振り下げ角度４５度のときに屈曲部側面に生じる最大の隙間を覆う形状の隙間被覆フランジ１３を、各カバー体１０のフランジ１２から拡大形成したことにある。
【００１１】
第２の手段の前記カバー体１０が施蓋する上下自在継ぎダクトは、一対のダクト本体２０を上下角度４５度の範囲で調整可能に連結され、各ダクト本体２０の連結部の左右側板に設けられ上端縁が略円弧形状を成し相互に重合せしめる重合側板２２と、該重合側板２２に固定ボルト２５を貫通して角度調整後のダクト本体２０を固定せしめる固定ボルト挿通孔２３と、ダクト本体２０の長手端部に他の配線ダクトを連結せしめる継ぎ金具３０を連結ボルト２６にて装着する継ぎ金具取付孔２４とを有し、前記カバー体１０の隙間被覆フランジ１３は、固定ボルト挿通孔２３の固定ボルト２５に妨げられない位置に形成され、前記フランジ１２は、継ぎ金具取付孔２４の連結ボルト２６から離れた位置に形成されたものである。
【００１２】
第３の手段は、前記カバー体１０の長手端部にカバー止着具１４を設け、前記上下自在継ぎダクトの長手端部の左右側板上端縁からダクト本体２０の内側に屈曲された係止片２７に、該カバー止着具１４を係止せしめるように設けている。
【００１３】
第４の手段の前記カバー体１０の隙間被覆フランジ１３の幅は、カバー体１０の前記フランジ１２からカバー体１０の連結端部方向に漸次広がるように形成されたことを課題解消のための手段とする。
【発明の効果】
【００１４】
本発明の請求項１によると、上下に屈曲した状態で連結された上下自在継ぎダクトを施蓋する配線ダクト用上下自在カバーにおいて、上下自在継ぎダクトが振り下げ角度４５度のときに屈曲部側面に生じる最大の隙間を覆う形状の隙間被覆フランジ１３を、各カバー体１０の連結端部側面に設けたことにより、配線ダクト接続部とカバーとの最大隙間を完全に閉塞することができる。また、ダクト本体２０の屈曲角度が変更されても、隙間被覆フランジ１３が各角度に追随して閉塞するので、どのような角度でも隙間は生じないものである。この結果、配線後の美観の向上を図り、配線ダクト内部の電線を確実に保護することが可能になった。しかも、カバー体１０の重量もほとんど変わらずに済むので、従来工法が変更される虞もない。
【００１５】
請求項２により、カバー体１０の隙間被覆フランジ１３は、固定ボルト挿通孔２３の固定ボルト２５に妨げられない位置に形成されると共に、前記フランジ１２は、継ぎ金具取付孔２４の連結ボルト２６から離れた位置に形成されるので、配線ダクト接続部とカバーとの隙間を完全に塞ぎながらも、配線工事の作業や工事費等は、従来工法と同じ作業内容、同じ条件でよいものである。      
【００１６】
請求項３では、前記カバー体１０の長手端部にカバー止着具１４を設け、前記上下自在継ぎダクトの長手端部の左右側板上端縁からダクト本体２０の内側に屈曲された係止片２７に、該カバー止着具１４を係止せしめるように設けているので、本発明上下自在カバーを極めて容易に装着することができる。また、カバー体１０のカバー止着具１４をダクト本体２０の内側で使用しているので、ダクト本体２０の外側面にカバー止着具を配設するものに比べて、ダクト本体２０の側面からフランジ１２や隙間被覆フランジ１３までの間隔をより狭くすることができる。したがって、虫等の侵入防止効果をより高めることが可能である。
【００１７】
請求項４により、前記カバー体１０の隙間被覆フランジ１３の幅は、カバー体１０の前記フランジ１２からカバー体１０の連結端部方向に漸次広がるように形成することで、作業中に触れると危険な角部をなくすことができ、隙間被覆フランジ１３やフランジ１２に触れても安全な作業が可能になる。
【００１８】
このように本発明によると、配線ダクト接続部とカバーとの隙間を完全に閉塞し、美観の向上と配線ダクト内部の電線を確実に保護することができ、しかも、従来の工事と同様の条件で配線ダクト工事を行うことが可能になるなどといった種々の効果を奏するものである。
【発明を実施するための最良の形態】
【００１９】
本発明上下自在カバーの最良の形態は、上下自在継ぎダクトの開口上部を施蓋する一対のカバー体１０と、これらのカバー体１０を上下揺動自在に連結すると共にカバー体１０相互の隙間を覆うヒンジ体１１と、各カバー体１０の長手両側縁から上下自在継ぎダクトの側面に沿って屈曲されたフランジ１２とを設け、上下に屈曲した状態で連結された上下自在継ぎダクトを施蓋する配線ダクト用上下自在カバーを形成する。上下自在継ぎダクトが振り下げ角度４５度のときに屈曲部側面に生じる最大の隙間を覆う隙間被覆フランジ１３を各カバー体１０の連結端部に設ける。カバー体１０のフランジ１２から拡大形成された隙間被覆フランジ１３は、固定ボルト挿通孔２３の固定ボルト２５に妨げられない位置に形成されると共に、フランジ１２は、継ぎ金具取付孔２４の連結ボルト２６から離れた位置に形成されることで当初の目的を達成するものである。
【実施例】
【００２０】
以下、本発明の一実施例を説明する。本発明上下自在カバーは、上下自在継ぎダクトを施蓋するもので、主な構成は、カバー体１０、ヒンジ体１１、フランジ１２、隙間被覆フランジ１３にて構成されている（図１参照）。
【００２１】
カバー体１０は、上下自在継ぎダクトの開口上部を施蓋する板状の部材で、長手側面にフランジ１２が設けられ、ヒンジ体１１を介して一対のカバー体１０が前後となるように配設されている。ヒンジ体１１は、前後のカバー体１０を上下揺動自在に連結するもので、カバー体１０相互の連結部分の隙間を覆うように長めのヒンジ部材が１本使用されている。そして、上下に屈曲された上下自在継ぎダクトの角度に合わせてカバー体１０の角度を調整するものである。
【００２２】
フランジ１２は、各カバー体１０の長手側縁、すなわち左右両側縁から上下自在継ぎダクトの側面に沿って屈曲されたものである。このフランジ１２は、上下自在継ぎダクトの直線部分に生じる隙間を覆うように設けている（図２参照）。一般の上下自在継ぎダクトは、前後一対のダクト本体２０を上下角度調整自在に連結したもので、ダクト本体２０の左右側板は、その連結部位において揺動自在に重合せしめてある。カバー体１０のフランジ１２は、この連結部位以外の直線部分とカバー体１０との間に生じる隙間を覆うように設けられている（図３参照）。
【００２３】
隙間被覆フランジ１３は、フランジ１２から拡大形成されたもので、上下自在継ぎダクトが振り下げ角度４５度のときに屈曲部側面に生じる最大の隙間を覆うことができるように拡大してある。図１、図２に示す隙間被覆フランジ１３は、カバー体１０の連結端部の左右側面に位置するフランジ１２を拡大し、フランジ１２と隙間被覆フランジ１３との境界が略４５度の角度で連続するように設けている。また、図４に示す隙間被覆フランジ１３は、フランジ１２からカバー体１０の連結端部方向に向けて漸次広がるように形成されている。
【００２４】
更に、図示のカバー体１０の長手端部に、カバー止着具１４を設けている（図１参照）。このカバー止着具１４は、スプリング１４Ｂを介してカバーに連結する止着ボルト１４Ａに回転自在に装着されたもので、ダクト本体２０の係止片２７に係止してカバー体１０を固定するものである。この係止片２７は、ダクト本体２０の長手端部の左右側板上端縁から、ダクト本体２０の内側に向けて延長された部材であり、カバー止着具１４は、この係止片２７に係止するように設けている。
【００２５】
ダクト本体２０は、一対のダクト本体２０をヒンジ体２１にて上下の角度を調整可能に連結したものである（図１参照）。このヒンジ体２１は、ダクト本体２０相互の隙間を覆うように、長めのヒンジ体２１が使用されている。図示のダクト本体２０は、上下角度４５度の範囲で調整自在に設けられたもので、各ダクト本体２０の連結部位の左右側板に重合側板２２を設けている。この重合側板２２は、上端縁が略円弧形状を成しており、相互に重合せしめることで、連結部位に生じる隙間ができるだけ少なくなるように設けている。更に、重合側板２２の外側に固定ボルト挿通孔２３を開穿している。この固定ボルト挿通孔２３は、固定ボルト２５を貫通して角度調整後のダクト本体２０を固定せしめるもので、ダクト本体２０の角度調整後、この固定ボルト挿通孔２３に合わせて重合側板２２の内側に孔を開け、固定ボルト２５を貫通させるものである。その為、本発明における隙間被覆フランジ１３は、固定ボルト挿通孔２３の固定ボルト２５に妨げられない位置、すなわち、固定ボルト挿通孔２３に接触しない位置か、あるいは接触してもカバー体１０が浮き上がらない位置に形成されている（図２参照）。
【００２６】
更に、ダクト本体２０の長手端部側面に、継ぎ金具取付孔２４を開穿している（図２参照）。この継ぎ金具取付孔２４は、継ぎ金具３０を装着する際に、連結ボルト２６を挿通して継ぎ金具３０を固定するものである（図１参照）。継ぎ金具３０は、ダクト本体２０の長手端部に他の配線ダクトを連結せしめるときに使用するものである。このようなダクト本体２０を施蓋するには、カバー体１０のフランジ１２がこの連結ボルト２６に接触しないように、連結ボルト２６から離れた位置に形成されている（図３参照）。
【００２７】
尚、本発明は、図示例に限定されるものではなく、たとえば、カバー体１０やダクト本体２０の形状や構成などは、本発明の要旨を変更しない範囲で任意に設計変更できるものである。
【図面の簡単な説明】
【００２８】
【図１】本発明の使用状態の一実施例を示す分解斜視図である。
【図２】本発明の使用状態の一実施例を示す側面図である。
【図３】本発明の使用状態の一実施例を示す要部断面図である。
【図４】本発明の他の実施例を示す側面図である。
【図５】従来のカバー体を示す側面図である。
【符号の説明】
【００２９】
１０  カバー体
１１  ヒンジ体
１２  フランジ
１３  隙間被覆フランジ
１４  カバー止着具
１４Ａ  止着ボルト
１４Ｂ  スプリング  
２０  ダクト本体
２１  ヒンジ体
２２  重合側板
２３  固定ボルト挿通孔
２４  継ぎ金具取付孔
２５  固定ボルト
２６  連結ボルト
２７  係止片
３０  継ぎ金具
４０  接続部
５０  屈曲部
６０  隙間
【図１】
2008160985.tif 000003
【図２】
2008160985.tif 000004
【図３】
2008160985.tif 000005
【図４】
2008160985.tif 000006
【図５】
2008160985.tif 000007